(57)【要約】【課題】潮流の影響を受け難く、底取りが常に早く、しかもラインを貫通孔に通す作業が行い易い釣り具用錘を提供する。【解決手段】釣り具用錘１では、ライン挿通孔２７と挿通孔２９が露出空間３１を挟んで配置されているので、ライン３７をライン挿通穴２９へ通すと、ライン３７の先端部が露出空間３１へ突出する。このライン３７の先端部を摘まんで、ライン挿通穴２７へ通すことができる。従って、ライン３７の腰が弱い場合でも、ライン３７がライン挿通孔２７と挿通孔２９の途中でつかえてしまうことはなく、ラインを釣り具用錘の孔へ通す作業を簡単に行うことができる。また、錘本体１３にはディンプル１７が形成されているので、例えば矢印で示す方向の潮の流れを受けても、抗力を抑えることができる。従って、釣り具用錘１は潮流の影響を受け難く速やかに沈下して、底取りが常に早くなる。【選択図】        図１
2016067278.tif 000002
【特許請求の範囲】
【請求項１】
錘本体と、前記錘本体に形成されラインを挿通するライン挿通孔とを具備する釣り具用錘において、前記錘本体には複数のディンプルが形成されていることを特徴とする釣り具用錘。
【請求項２】
請求項１に記載した釣り具用錘において、錘本体は正面視と背面視が下方へいくに従って幅寸法が小さくなる略涙型に形成されていることを特徴とする釣り具用錘。
【請求項３】
請求項１または２に記載した釣り具用錘において、ディンプルは錘本体の左右両側の周面に形成され、前記ディンプルは前記錘本体の左右方向の中心を境とする対称形状で且つ対称位置に配置されていることを特徴とする釣り具用錘。
【請求項４】
請求項１から３のいずれかに記載した釣り具用錘において、ライン挿通孔は下方へ突出する複数の突出部にそれぞれ形成されており、且つ間隔を開けて互いに対向し、しかも外部に露出する露出空間を挟んで備えられていることを特徴とする釣り具用錘。
【発明の詳細な説明】
【技術分野】
【０００１】
本発明は、鯛カブラのヘッド等として用いられる釣り具用錘に関するものである。
【背景技術】
【０００２】
特許文献１に記載された釣り具用錘はタングステン製で、表面は平滑な略球形の錘本体を有している。この錘本体には貫通孔が設けられ、貫通孔にチューブが圧入されている。このチューブにラインを通して使用する。
上記従来の釣り具用錘は錘本体がタングステン製であることから水の抵抗が小さく底取りが速い等の長所を有している。
【先行技術文献】
【特許文献】
【０００３】
【特許文献１】実用新案登録第３１９０１２６号公報
【発明の概要】
【発明が解決しようとする課題】
【０００４】
しかしながら、上記従来の釣り具用錘の錘本体は略球形であるため、潮流の影響を受け易く、思わぬ方向へ流されてしまうおそれがある。釣り具用錘が流されると底取りまでの時間が長くなってしまうことになる。
また、貫通孔（チューブ）は二か所の開口以外は閉じられているため、ラインを通し難いという問題がある。ラインの材質によっては水に濡れると腰が弱くなるものもあり、ラインを貫通孔へ挿通する作業がかなり面倒なものとなるおそれがある。
本発明は上記従来の問題点に着目して為されたものであり、潮流の影響を受け難く、底取りが常に早く、しかもラインを貫通孔に通す作業が行い易い釣り具用錘の提供を、その目的とする。
【課題を解決するための手段】
【０００５】
本発明は上記課題を解決するためになされたものであり、請求項１の発明は、錘本体と、前記錘本体に形成されラインを挿通するライン挿通孔とを具備する釣り具用錘において、前記錘本体には複数のディンプルが形成されていることを特徴とするものである。
【０００６】
請求項２の発明は、請求項１に記載した釣り具用錘において、錘本体は正面視と背面視が下方へいくに従って幅寸法が小さくなる略涙型に形成されていることを特徴とするものである。
【０００７】
請求項３の発明は、請求項１または２に記載した釣り具用錘において、ディンプルは錘本体の左右両側の周面に形成され、前記ディンプルは前記錘本体の左右方向の中心を境とする対称形状で且つ対称位置に配置されていることを特徴とするものである。
【０００８】
請求項４の発明は、請求項１から３のいずれかに記載した釣り具用錘において、ライン挿通孔は下方へ突出する複数の突出部にそれぞれ形成されており、且つ間隔を開けて互いに対向し、しかも外部に露出する露出空間を挟んで備えられていることを特徴とするものである。
【発明の効果】
【０００９】
本発明の釣り具用錘は、潮流の影響を受け難く速やかに沈下するので、底取りが早くなる。
また、ラインを釣り具用錘の孔へ通す作業を簡単に行うことができるようになる。
【図面の簡単な説明】
【００１０】
【図１】本発明の実施の形態に係る釣り具用錘をヘッドとして用いた釣り具のルアーの一種である鯛カブラの斜視図である。
【図２】図１の釣り具用錘の斜視図である。
【図３】図１のＡ−Ａ断面図である。
【図４】図１のＢ−Ｂ断面図である。
【図５】図１の釣り具用錘の正面図である。
【図６】図１の釣り具用の背面図である。
【図７】図１の釣り具用錘の平面図である。
【図８】図１の釣り具用錘の底面図である。
【図９】図１の釣り具用錘の左側面図である。
【発明を実施するための形態】
【００１１】
本発明の実施の形態に係る釣り具用錘１を図面にしたがって説明する。
釣り具用錘１は図１に示すように、釣り具のルアーの一種である鯛カブラ３のヘッドとして用いられるものである。
鯛カブラ３は釣り具用錘１のほかにフック部５を備えており、このフック部５は釣り針７、ネクタイ９、スカート１１などを有している。  
【００１２】
釣り具用錘１の錘本体１３はタングステン製であり、正面視と背面視が下方へいくに従って幅寸法が小さくなる略涙型に形成されている。
錘本体１３には２４個のディンプル１７が形成されており、ディンプル１７は最も深い部分の深さ寸法が１．０ｍｍ程度となっている。また、ディンプル１７は錘本体１３の左右両側の周面に形成され、錘本体１３の左右方向の中心を境として左右１１個ずつ形成されており、対称形状で且つ対称位置に配置されている。
【００１３】
また、錘本体１３の正面部には左右一対の凹部１９が形成されており、左側の凹部１９は左方向へ、右側の凹部１９は右方向へ開放されている。凹部１９の底部は平面となっており、この底部に目玉様の模様２１が付されている。
【００１４】
錘本体１３の下面の正面側端部には突出部２３が、背面側端部には突出部２５がそれぞれ形成されている。突出部２３にはライン挿通穴２７が、突出部２５にはライン挿通穴２９がそれぞれ形成されている。ライン挿通孔２７とライン挿通孔２９は間隔を開けて互いに対向し、且つ錘本体１３の下面中央部に形成される露出空間３１を挟んで配置されている。ライン挿通孔２７、挿通孔２９には合成樹脂製のライン保護チューブ３３、３５が圧入されて固定されている。
【００１５】
この釣り用錘１では、ライン挿通孔２７と挿通孔２９が露出空間３１を挟んで配置されているので、ライン３７をライン挿通穴２９とライン保護チューブ３５へ通すと、ライン３７の先端部が露出空間３１へ突出する。このライン３７の先端部を摘まんで、ライン挿通穴２７とライン保護チューブ３３へ通すことができる。従って、ライン３７の腰が弱い場合でも、ライン３７がライン挿通孔２７と挿通孔２９の途中でつかえてしまうことはなく、ラインを釣り具用錘の孔へ通す作業を簡単に行うことができる。
【００１６】
また、錘本体１３はディンプル１７が形成されているので、図１において例えば矢印で示す方向の潮の流れを受けても抗力を抑えることができ、しかも錘本体１３は前述のように正面視と背面視が略涙型に形成されているので、潮流の抵抗を軽減することができる。従って、釣り具用錘１は潮流の影響を受け難く速やかに沈下して、底取りが早くなる。
また、ディンプル１７は錘本体１３の左右両側の周面に形成され、ディンプル１７は錘本体１３の左右方向の中心を境とする対称形状で且つ対称位置に配置されているので、釣り用錘１の揺動を抑えることができて安定した姿勢を保つことが可能である。
【００１７】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、錘本体１３に突出部２３、２５を一体的に形成し、これら突出部２３、２５にライン挿通穴２７、２９を設けたが、本発明はこれに限定されず、錘本体に取り付けた金属製の線材や板材によって突出部を構成し、これら線材や板材から成る突出部にライン挿通穴を設けてもよい。
また、ディンプルの数、配置位置、深さ寸法とは錘本体のサイズ等に応じて変更してもよい。
【産業上の利用可能性】
【００１８】
本発明の釣り具用錘は釣り具製造業において利用可能性を有する。
【符号の説明】
【００１９】
１…釣り具用錘      ３…鯛カブラ      ５…フック部
７…釣り針      ９…ネクタイ      １１…スカート
１３…錘本体      １７…ディンプル      １９…凹部
２１…目玉様の模様      ２３、２５…突出部
２７、２９…ライン挿通穴      ３１…露出空間
３３、３５…ライン保護チューブ      ３７…ライン
【図１】
2016067278.tif 000003
【図２】
2016067278.tif 000004
【図３】
2016067278.tif 000005
【図４】
2016067278.tif 000006
【図５】
2016067278.tif 000007
【図６】
2016067278.tif 000008
【図７】
2016067278.tif 000009
【図８】
2016067278.tif 000010
【図９】
2016067278.tif 000011